(57)【要約】【課題】  事務処理や家庭においても利用する機会が多いメモ帳を、その機能面を保持したまま、商品価値を高めると共に、販促用の品物に効果的なメモ帳を提供せんとする【解決手段】  周端面を含む全面が同一色であるメモ用紙４が多数積層され、積層されたメモ帳１の全体の形態が菓子の外形及び色合いと酷似し、ある部位を形成する横断面の形状および外周の色と、その部位を構成するメモ用紙４の形状及び色が一致していることを特徴とする。【選択図】  図４
0003124628.tif 000002
【実用新案登録請求の範囲】
【請求項１】
周端面を含む全面が同一色であるメモ用紙が多数積層され、積層された全体の形態が菓子の外形及び色合いと酷似し、ある部位を形成する横断面の形状および外周の色と、その部位を構成するメモ用紙の形状及び色が一致していることを特徴とするメモ帳。
【請求項２】
各メモ用紙が着脱可能に仮着して一体化していることを特徴とする請求項１記載のメモ帳。
【請求項３】
菓子がケーキである請求項１又は２記載のメモ帳。
【請求項４】
ケーキの上に果物等のサンプルのデコレーションを添えて成ることを特徴とする請求項３記載のメモ帳。
【請求項５】
請求項１乃至４の積層したメモ用紙が透視可能な袋に封入されていることを特徴とするメモ帳。
【考案の詳細な説明】
【技術分野】
【０００１】
本考案はメモ帳に関するものであり、詳しくは贈り物や商品・サービスの販促品などの対象として効果的なメモ帳に関するものである。
【背景技術】
【０００２】
従来のメモ帳は四角形のメモ用紙を多数枚積層し、一側端に背糊を付けて一纏めにしたもの、又は、メモ用紙の裏面一側近傍を粘着面とし、順次上下のメモ用紙を一体化すると共に、使用の時に剥いで目的場所へ仮着できるようにした基本的な構成を有する。
【０００３】
そして、単に積層したにとどまらないものとして、例えば、積層した周端面に任意の画像、文字や記号等を印刷して商品価値を高めた実用新案登録第３０９９３０９号や、複数組の単位積層シートを積層し、単位積層シートごとに異なった有色背糊で綴じ合わせ、シートの内容を識別できるようした特開２００４−３４３５８等がある。
【考案の開示】
【考案が解決しようとする課題】
【０００４】
本考案は、事務処理や家庭においても利用する機会が多いメモ帳を、その機能面を保持したまま、商品価値を高めると共に、販促用の品物に効果的なメモ帳を提供せんとするものである。
【課題を解決するための手段】
【０００５】
本考案のメモ帳は、周端面を含む全面が同一色であるメモ用紙が多数積層され、積層されたメモ帳の全体の形態が菓子の外形及び色合いと酷似し、ある部位を形成する横断面の形状および外周の色と、その部位を構成するメモ用紙の形状及び色が一致していることを特徴とし、各メモ用紙は着脱可能に一体化したものでもよい。
【０００６】
菓子としてケーキを選択し、ケーキの上に果物等のサンプルのデコレーションを添えたものとし、また、これ等の積層した本考案のメモ用紙が透視可能な袋に封入されているものとしてもよい。
【考案の効果】
【０００７】
本考案は各メモ用紙の周端面を含む全面が同一色に施されているから、色別に内容を区別して記載し、整理するのが容易となり、積層時も周端面が同一色であるため、所望の色のメモ用紙を選択又は識別することが極めて容易確実となる効果を有する。
【０００８】
また、積層した形態を特定の菓子の形状の外観としているため人目を惹きギフトやプレゼント用の商品・景品に相応しいものとなり、各メモ用紙に形状の不揃いが生じてもメモ紙の機能上には全く支障とならず、従来にない商品価値を与える効果を発揮する。
【０００９】
そして、菓子の中でもケーキを好物とする人が多く、また、上下に各種の食材を用いて層状に重ねた形態のもの見られるため、メモ帳を複数の色のメモ紙を使用して形態及び色彩或いはデコレーションを添え、ケーキに似せた構成とすることで形態的効果及び装飾的効果を有する新規な商品価値を得られるのである。
【００１０】
さらに、斯かる菓子に酷似するメモ帳を透視可能な袋に封入されていると、恰も本物の菓子が包装用袋に入れられているかの如く、興味を引き立てるものとなり商品価値を一層高める効果を発揮するのである。
【考案を実施するための最良の形態】
【００１１】
本考案の実施に一形態を図面に基づいて説明する。
図１は、本考案の一実施の形態を示す正面図であり、二枚の略円盤状のカステラ状２Ａ、２Ｂの間にクリーム層等３をサンドイッチに挟んで一体化した焼き菓子に似せたメモ帳１を示したものである。
【００１２】
カステラ状２Ａ、２Ｂは、周端面を含む全面が同一色に施されたメモ用紙４Ａを積層して形成してあり、円形の輪郭を有するものであるけれど、その上下位置により径を違わせ全体として一面が膨らんだ略円盤状の形態となっている。
また、クリーム層等３を形成するメモ用紙４Ｂは、サンドイッチするカステラ状２Ａ、２Ｂと異なる色を施して成り、水平面部のメモ用紙４Ａより稍短い径の円形の輪郭を有して、適宜厚さに積層されている。
【００１３】
尚、上下のカステラ状２Ａ、２Ｂを同一の色彩でなく異なる色彩で形成することも可能であり、また、サンドイッチするクリーム層等３の中間層も色の違う複数の層で形成することも自由に選択できるものである。
【００１４】
図４は、他の実施の形態を示す正面図で、ケーキに似せて構成したメモ帳１である。
複数のメモ用紙４Ｃ、４Ｄ、４Ｅの三種類を積層してケーキ本体５を形成し、上面にサンプルの果物６が載置されている。
【００１５】
各メモ用紙４Ｃ、４Ｄ、４Ｅは周端面を含む全面が同一色に施され、同一色のメモ紙を重ねてメモ用紙４Ｃでスポンジ層、メモ用紙４Ｄでクリーム層、及びメモ用紙４Ｅでいちご層を形成し、本物のケーキの形状及び色に酷似したものとなっている。
【００１６】
また、上記の各実施の形態例においては、従来どおり任意の一側端、或いは上下に亘る一部の端面に背糊を付けたり、メモ用紙の裏面一側近傍、或いは上下に亘る一端部付近を粘着面とし、順次上下のメモ用紙を一体化して一纏めとしてあってもよいことはいうまでもない。
【００１７】
図５は、他の実施の形態を示す正面図であり、図４に示したケーキに似せたメモ帳１を透明な合成樹脂製の袋７に入れリボン８により開口部を結んだものである。
【図面の簡単な説明】
【００１８】
【図１】本考案の一実施の形態を示す正面図である。
【図２】図１の一部斜視図である。
【図３】図１の他の部分の斜視図である。
【図４】本考案の他の実施の形態を示す正面図である。
【図５】本考案の他の実施の形態を示す正面図である。
【符号の説明】
【００１９】
１                            メモ帳
２Ａ、２Ｂ                    カステラ状
３                            クリーム層等
４Ａ、４Ｂ、４Ｃ、４Ｄ、４Ｅ  メモ用紙
５                            ケーキ本体
６                            サンプルの果実
７                            袋
８                            リボン
【図１】
0003124628.tif 000003
【図２】
0003124628.tif 000004
【図３】
0003124628.tif 000005
【図４】
0003124628.tif 000006
【図５】
0003124628.tif 000007